(57)【要約】  信頼性を確保しつつ外形を小型・低背化した同軸コネクタ用レセプタクルを構成する。  筒状部（４１）を有する外導体（４０）と、筒状部（４１）の内部空間に軸方向に延びる接触部（５１）を有する中心導体（５０）と、外導体（４０）と中心導体（５０）とを絶縁状態で保持する絶縁体（６１）と、を備え、外導体（４０）の筒状部（４１）に垂直な方向に張り出した外導体（４０）及び絶縁体（６１）により張り出し領域を有する。この張り出し領域内に外導体（４０）は外導体張り出し部（４２ａ），（４２ｂ），（４２ｃ）を備え、絶縁体（６１）は絶縁体張り出し部を備える。外導体張り出し部（４２ａ），（４２ｂ），（４２ｃ）と絶縁体張り出し部は略同一の厚みである。
2009130964.tif 000002
【特許請求の範囲】
【請求項１】
筒状部を有する外導体と、当該外導体の筒状部の内部空間に軸方向に延びる接触部を有する中心導体と、前記外導体と前記中心導体とを絶縁状態で保持する絶縁体と、を備え、
前記外導体の筒状部に垂直な面方向に張り出した、前記外導体及び前記絶縁体による張り出し領域を有する同軸コネクタ用レセプタクルにおいて、
前記外導体は、前記張り出し領域内に配置され、所定部分を除いて前記筒状部の軸方向に対して垂直な面方向に前記筒状部の底部から外方へ張り出された外導体張り出し部を有し、
前記中心導体は、前記張り出し領域内の前記所定部分内に配置され、前記筒状部の軸方向に対して垂直な方向に引き出された中心導体引き出し部を有し、
前記絶縁体は、前記張り出し領域内の前記所定部分に配置され、前記中心導体引き出し部を部分的に被覆する絶縁体張り出し部を有し、
前記外導体張り出し部の厚みと、前記絶縁体張り出し部の厚みは略同一であることを特徴とする同軸コネクタ用レセプタクル。
【請求項２】
前記絶縁体張り出し部と前記中心導体引き出し部との境界部分の断面形状は、前記中心導体引き出し部を前記絶縁体張り出し部の底面方向へ係止する形状であり、前記外導体張り出し部と前記絶縁体張り出し部との境界部分の断面形状は、前記絶縁体を前記外導体張り出し部から底面方向へ係止する形状である、請求項１に記載の同軸コネクタ用レセプタクル。
【請求項３】
前記絶縁体張り出し部と前記外導体張り出し部との境界部分の断面形状は、複数の段差部を備えたものである、請求項２に記載の同軸コネクタ用レセプタクル。
【発明の詳細な説明】
【技術分野】
【０００１】
この発明は、同軸コネクタ用レセプタクルに関し、特に外形が小型・低背な同軸コネクタ用レセプタクルに関する。
【背景技術】
【０００２】
高周波信号の伝送に用いられる同軸コネクタ用レセプタクルとして例えば特許文献１が開示されている。その構造について図１を基に説明する。【０００３】
この同軸コネクタ用レセプタクル１は、円筒部を有する外部導体１０と、その円筒部の内部空間にて軸線方向に延びる接触部を備える中心導体２０とを有し、外部導体１０と中心導体２０との間の下部で、モールド成形された誘電体（絶縁体）３０を介して両者を一体的に保持する構造になっている。【０００４】
外部導体１０の円筒部にはプラグの抜け止めのためのロック溝１３が形成されている。また、プラグ装着時の応力で中心導体２０が誘電体（絶縁体）３０から裏面方向に抜けるのを防止するために、中心導体２０の内方端部に面加工部（没入部）２２Ａが設けられている。
【特許文献１】特開２００４−２２１０５５号公報
【発明の開示】
【発明が解決しようとする課題】
【０００５】
特許文献１に示されている構造では、外部導体の上部を覆って樹脂が成形されているので、外部導体の厚みと樹脂の厚みとが累積され、その分、製品の外形寸法が大きくなる。また、プラグの抜け止めのために外部導体の円筒部に設けるロック用の溝１３の位置も、樹脂の厚みが累積される分高くなるため、レセプタクルにプラグを装着した状態での全体の高さも高くなってしまう。【０００６】
また、プラグを装着するための必要な高さである外部導体１０の円筒部のロック溝１３と誘電体（絶縁体）３０の上面との距離が確保できなくなる、という問題が生じる。【０００７】
そこで、この発明の目的は、信頼性を確保しつつ外形を小型・低背化できるようにした同軸コネクタ用レセプタクルを提供することにある。
【課題を解決するための手段】
【０００８】
前記課題を解決するために、この発明は次のように構成する。
（１）筒状部を有する外導体と、当該外導体の筒状部の内部空間に軸方向に延びる接触部を有する中心導体と、前記外導体と前記中心導体とを絶縁状態で保持する絶縁体と、を備え、
前記外導体の筒状部に垂直な面方向に張り出した、前記外導体及び前記絶縁体による張り出し領域を有する同軸コネクタ用レセプタクルにおいて、
前記外導体は、前記張り出し領域内に配置され、所定部分を除いて前記筒状部の軸方向に対して垂直な面方向に前記筒状部の底部から外方へ張り出された外導体張り出し部を有し、
前記中心導体は、前記張り出し領域内の前記所定部分内に配置され、前記筒状部の軸方向に対して垂直な方向に引き出された中心導体引き出し部を有し、
前記絶縁体は、前記張り出し領域内の前記所定部分に配置され、前記中心導体引き出し部を部分的に被覆する絶縁体張り出し部を有し、
前記外導体張り出し部の厚みと、前記絶縁体張り出し部の厚みは略同一であることを特徴とする。【０００９】
この構成により、外導体の上面に絶縁体の層を形成しなくてもよく、プラグを装着するための必要な高さである、絶縁体層の上面から円筒部のロック溝までの距離を確保でき、小型・低背な同軸コネクタ用レセプタクルが構成できる。【００１０】
（２）前記絶縁体張り出し部と前記中心導体引き出し部との境界部分の断面形状は、前記中心導体引き出し部を前記絶縁体張り出し部の底面方向へ係止する形状であり、前記外導体張り出し部と前記絶縁体張り出し部との境界部分の断面形状は、前記絶縁体を前記外導体張り出し部から底面方向へ係止する形状とする。【００１１】
これにより、絶縁体に対する外導体および中心導体の一体化強度が高まり、絶縁体に対する外導体の抜けおよび中心導体の抜けが防止できる。【００１２】
（３）前記絶縁体張り出し部と前記外導体張り出し部との境界部分の断面形状は、複数の段差部を備えた形状とする。【００１３】
これにより、絶縁体に対する外導体および中心導体の一体化強度がさらに高まり、絶縁体に対する外導体の抜けおよび中心導体の抜けが防止できる。
【発明の効果】
【００１４】
この発明によれば、機械的強度が高く且つ小型・低背な同軸コネクタ用レセプタクルが構成できる。
【図面の簡単な説明】
【００１５】
【図１】特許文献１に示されている同軸コネクタ用レセプタクルの断面図である。
【図２】同軸コネクタ用レセプタクル１００と、それに対して着脱する同軸コネクタ用プラグ１１０の断面図であり、（Ａ）は両者を分離した状態、（Ｂ）は装着した状態である。
【図３】レセプタクルの構成を示す図であり、（Ａ）はレセプタクルの分解斜視図、（Ｂ）はレセプタクル１００全体の斜視図、（Ｃ）は中心導体の長手方向の中心を通るレセプタクルの断面図である。
【図４】中心導体引き出し部５２の引き出し方向から見た正面図である。
【図５】第２の実施形態に係るレセプタクルの外導体張り出し部における中心導体引き出し部の引き出し方向に垂直な面での断面図である。
【図６】第３の実施形態に係るレセプタクルの外導体張り出し部における中心導体引き出し部の引き出し方向に垂直な面での断面図である。
【符号の説明】
【００１６】
４０…外導体
４１…筒状部
４２，４３，４４…外導体張り出し部
５０…中心導体
５１…中心導体接触部
５２，５３…中心導体引き出し部
６１，６２，６３…絶縁体
７１…外導体
８１…内導体
１００…同軸コネクタ用レセプタクル
１１０…同軸コネクタ用プラグ
Ｐ…突起部
ＰＲ…段差部
Ｓ…溝
ＳＰ１，ＳＰ２…段差部
ＴＰ１…テーパー部
ＴＰ２…テーパー部
【発明を実施するための最良の形態】
【００１７】
《第１の実施形態》
第１の実施形態に係る同軸コネクタ用レセプタクルの構成を図２〜図４を参照して説明する。
図２は同軸コネクタ用レセプタクル（以下単にレセプタクルという。）１００と、それに対して着脱する同軸コネクタ用プラグ（以下単にプラグという。）１１０の断面図である。図２（Ａ）は両者を分離した状態、（Ｂ）は装着した状態である。【００１８】
レセプタクル１００は、筒状部４１を有する外導体４０と、その外導体４０の筒状部４１の内部空間に軸方向に延びる接触部５１を有する中心導体５０と、外導体４０と中心導体５０とを絶縁状態で保持する絶縁体６１を備えている。【００１９】
中心導体５０は、外導体４０の筒状部の軸（一点鎖線）方向に対して垂直な方向に引き出された中心導体引き出し部５２を備えている。また、外導体４０は、中心導体引き出し部５２が通る位置を除いて（避けるように）外導体４０の筒状部４１の軸方向に対して垂直な方向に筒状部４１の底部から外方へ張り出された外導体張り出し部４２を備えている。【００２０】
後に詳述するが、外導体４０の筒状部４１から垂直な方向に広がる張り出し領域は、厚み方向で見て、絶縁体６１の絶縁体張り出し部が存在する領域と、外導体張り出し部４２が存在する領域とを備えている。絶縁体張り出し部の厚み寸法ｔｂと外導体張り出し部４２の厚み寸法ｔａはほぼ同一である。【００２１】
また、中心導体引き出し部５２部分の絶縁体を含めた厚み寸法も絶縁体張り出し部の厚み寸法ｔｂと同一である。【００２２】
プラグ１１０は外導体７１及び内導体８１を備えていて、図２（Ｂ）に示すようにプラグ１１０をレセプタクル１００に装着した状態で、プラグ１１０の外導体７１はレセプタクル１００の外導体４０の筒状部４１に接触し、プラグ１１０の内導体８１はレセプタクル１００の中心導体の接触部５１に接触する。【００２３】
図２（Ａ）に示したように、外導体４０の筒状部４１の外周面には溝Ｓを、プラグ１１０の外導体７１の内周面には突起部Ｐをそれぞれ形成していて、両者が係合する。【００２４】
このように、絶縁体６１の厚み寸法が外導体張り出し部４２及び中心導体引き出し部５２部分の厚み寸法とほぼ等しいため、プラグ１１０の外導体７１の下端面とレセプタクル１００の外導体張り出し部４２及び中心導体引き出し部５２部分の上面との距離を充分確保することができる。【００２５】
図３はレセプタクルの構成を示す図であり、図３（Ａ）はレセプタクルの分解斜視図、図３（Ｂ）はレセプタクル１００全体の斜視図、図３（Ｃ）は中心導体の長手方向の中心を通るレセプタクルの断面図である。【００２６】
図３（Ａ）に示すように、外導体４０は、筒状部４１と、この筒状部４１の軸方向に対して垂直な面方向に、筒状部４１の底部から外方へ張り出した外導体張り出し部４２ａ，４２ｂ及び４２ｃを備えている。また、中心導体５０は、外導体４０の筒状部４１の内部空間に軸方向に延びる接触部５１及び外導体４０の筒状部４１の軸方向に対して垂直な方向に引き出された中心導体引き出し部５２を備えている。【００２７】
前記外導体４０の外導体張り出し部４２ａ，４２ｂ，４２ｃは、中心導体引き出し部５２が通る位置を除いて（避けるように）形成されている。【００２８】
絶縁体６１は、樹脂モールド成形によって外導体４０と中心導体５０とを絶縁状態で保持する形状をなしており、外導体張り出し部４２ａ，４２ｂ，４２ｃが存在しない領域に絶縁体張り出し部を有している。また絶縁体張り出し部は中心導体引き出し部５２を部分的に被覆している。【００２９】
図３（Ｂ）に示すように、外導体４０の筒状部４１から垂直な方向に広がる張り出し領域（略正方形）に、厚み方向で見て絶縁体６１の絶縁体張り出し部のみが存在する領域と外導体張り出し部４２ａ，４２ｂ，４２ｃのみが存在する領域を備えている。すなわち外導体張り出し部４２ａ，４２ｂ，４２ｃの上面に絶縁体６２は配置されない。したがって、絶縁体６１の絶縁体張り出し部の厚みと外導体張り出し部４２ａ，４２ｂ，４２ｃの厚みはほぼ同一である。【００３０】
このような構造にすることでレセプタクルの底面から絶縁体６１の絶縁体張り出し部上面までの高さを低くすることができ、レセプタクルの外形を支配する張り出し領域の厚みを薄くすることができる。例えば図１に示した従来構造では、レセプタクルの高さ寸法が０．２７ｍｍであったものが、０．１２ｍｍまで薄くできる。これに伴い、製品の外形形状を小型・低背化できる。【００３１】
また、従来構造では、端子の上面に樹脂を成形するためにキャビティを加工により形成する必要があったが、この発明によれば絶縁体（樹脂）の形状が簡素になるため、モールド金型の製作コストが削減できる。【００３２】
さらに、従来構造では、端子上面に樹脂を成形するために樹脂流動が複雑になるが、この発明によれば絶縁体（樹脂）の形状が簡素であるため、エアー巻き込み等による成形不良（ショート・ショット）が発生しにくい。【００３３】
なお、図２に示したように、外導体筒状部４１の内部における絶縁体６１の厚み寸法（ｔｃ）は外導体筒状部４１外部の領域での絶縁体６１の厚み寸法（ｔｂ）より厚く形成している。これにより、絶縁体６１と中心導体５０との一体化強度を高めている。【００３４】
図４は中心導体引き出し部５２の引き出し方向から見た正面図である。この図４に示すように、絶縁体６１と外導体張り出し部４２ａ，４２ｂとの境界部分の断面形状は外導体張り出し部４２ａ，４２ｂの上面から下面にかけて先細り形状のテーパー部ＴＰ１を備えている。この形状は、図３で表れている外導体張り出し部４２ｃと絶縁体６１との関係についても同様である。【００３５】
また、絶縁体６１と中心導体引き出し部５２との境界部分の断面形状も、中心導体引き出し部５２の下面から上面にかけて先細り形状のテーパー部ＴＰ２を備えている。【００３６】
これにより、中心導体引き出し部５２は絶縁体６１に係止して、中心導体引き出し部５２が絶縁体６１からその底面方向に抜けるのを防止している。同様に、絶縁体６１は外導体張り出し部４２ａ，４２ｂに係止して、絶縁体６１が底面方向へ抜けるのを防止している。中央の外導体張り出し部４２ｃについても同様である。【００３７】
このような構造により、図２に示したプラグ１１０を装着した際の応力で中心導体５０及び絶縁体６１が外導体４０から抜けるのを防止できる。【００３８】
このような外導体張り出し部４２および中心導体引き出し部５２の端面は、コイニング加工、スェージング加工、側面押し込み加工等のプレス成形によって形成することができる。【００３９】
この発明によれば、プラグ挿入時の絶縁体から中心導体の抜け止め、および外部端子から絶縁体の抜け止めを防止するために、外導体４０および中心導体５０に複雑な形状（エンボス形状）を形成する必要がなく、外導体張り出し部４２および中心導体引き出し部５２の端面を、前記コイニング加工、前記スェージング加工、側面押し込み加工等のプレス成形等で、比較的容易に成形できる。【００４０】
《第２の実施形態》
図５は第２の実施形態に係るレセプタクルの外導体張り出し部における中心導体引き出し部の引き出し方向に垂直な面での断面図である。第１の実施形態に係るレセプタクルと異なるのは、絶縁体６２と中心導体引き出し部５３との境界部分の断面形状、及び外導体張り出し部４３ａ，４３ｂと絶縁体６２との境界部分の断面形状である。その他の構成は第１の実施形態の場合と同様である。【００４１】
図５に示す例では、絶縁体６２と中心導体引き出し部５３との境界面に段差部ＳＰ２を備えるように、中心導体引き出し部５３の断面形状を定めている。また、外導体張り出し部４３ａ，４３ｂと絶縁体６２との境界面に段差部ＳＰ１を備えるように、外導体張り出し部４３ａ，４３ｂの断面形状を定めている。もう一つの外導体張り出し部（第１の実施形態で図３において示した中央の外導体張り出し部４２ｃに相当する外導体張り出し部）についても同様である。【００４２】
このように段差部ＳＰ１，ＳＰ２を設けることによって、絶縁体６２と外導体との一体化強度、及び中心導体と絶縁体６２との一体化強度が高まる。【００４３】
《第３の実施形態》
図６は第３の実施形態に係るレセプタクルの外導体張り出し部における中心導体引き出し部の引き出し方向に垂直な面での断面図である。第１・第２の実施形態に係るレセプタクルと異なるのは、絶縁体６３と中心導体引き出し部５３との境界部分の断面形状、及び外導体張り出し部４４ａ，４４ｂと絶縁体６３との境界部分の断面形状である。その他の構成は第１・第２の実施形態の場合と同様である。【００４４】
図６に示すように、外導体張り出し部４４ａ，４４ｂと絶縁体６３との境界面に複数の段差部ＰＲを備えるように、外導体張り出し部４４ａ，４４ｂの断面形状を定めている。もう一つの外導体張り出し部（第１の実施形態で図３において示した中央の外導体張り出し部４２ｃに相当する外導体張り出し部）についても同様である。
絶縁体６３と中心導体引き出し部５３との境界部分の断面形状は第２の実施形態と同様である。【００４５】
このように複数の段差部ＰＲを設けることによって、絶縁体６３と外導体４０との一体化強度がさらに高まる。【００４６】
このような段差部は、金属板をコイニング加工によって薄肉部を形成し、その薄肉部分のうち不要な部分を打ち抜くことによって形成することができる。また、先に打ち抜き加工を行い、その後にコイニング加工やスエージング加工によって先端部を扁平にすることによって形成してもよい。
【図１】
2009130964.tif 000003
【図２】
2009130964.tif 000004
【図３】
2009130964.tif 000005
【図４】
2009130964.tif 000006
【図５】
2009130964.tif 000007
【図６】
2009130964.tif 000008
【手続補正書】
【提出日】平成22年9月17日(2010.9.17)
【手続補正１】
【補正対象書類名】明細書
【補正対象項目名】００２９
【補正方法】変更
【補正の内容】
【００２９】
図３（Ｂ）に示すように、外導体４０の筒状部４１から垂直な方向に広がる張り出し領域（略正方形）に、厚み方向で見て絶縁体６１の絶縁体張り出し部のみが存在する領域と外導体張り出し部４２ａ，４２ｂ，４２ｃのみが存在する領域を備えている。すなわち外導体張り出し部４２ａ，４２ｂ，４２ｃの上面に絶縁体６１は配置されない。したがって、絶縁体６１の絶縁体張り出し部の厚みと外導体張り出し部４２ａ，４２ｂ，４２ｃの厚みはほぼ同一である。
【手続補正２】
【補正対象書類名】明細書
【補正対象項目名】００４３
【補正方法】変更
【補正の内容】
【００４３】
《第３の実施形態》
図６は第３の実施形態に係るレセプタクルの外導体張り出し部における中心導体引き出し部の引き出し方向に垂直な面での断面図である。第１の実施形態に係るレセプタクルと異なるのは、絶縁体６３と中心導体引き出し部５３との境界部分の断面形状、及び外導体張り出し部４４ａ，４４ｂと絶縁体６３との境界部分の断面形状である。その他の構成は第１・第２の実施形態の場合と同様である。
【国際調査報告】
2009130964.tif 000009
2009130964.tif 000010
2009130964.tif 000011
2009130964.tif 000012